(57)【要約】【課題】左右の支柱の間隔を小さくしてショッピングカートの左右幅を小さくする。また、買物カゴの底の前部をカゴ載せ部材に載せることにより、買物カゴの底部とバスケットの底との間に携帯品等を置けるようにし、レジ精算後の買物袋をバスケットに置けるようにする。【解決手段】キャスター２付きのベース３に立設された左右の支柱４はそれぞれ、前縦部１１と、後上がり部１２とを含み、前縦部１１から後方へ向かって延びるバスケット５が設けられ、バスケット底部は前側が低くなるように傾斜しており、バスケット周壁は前あおり壁１７と左壁１８と右壁１９と後壁２０とからなる。左壁と右壁の前部かつ上部間に、買物カゴの底の前部を載せることができるカゴ載せ部材６が設けられ、買物カゴの左右動を後上がり部により規制する。【選択図】図１
2016165955.tif 000002
【特許請求の範囲】
【請求項１】
キャスター付きのベースに立設された左右の支柱はそれぞれ、カート前部を縦に延びる前縦部と、前縦部の上端からカート後部へ向かって斜め上方に延びる後上がり部とを含み、
前縦部から後方へ向かって延びるバスケットが設けられ、バスケット底部は前側が低くなるように傾斜しており、バスケット周壁は前あおり壁と左壁と右壁と後壁とからなり、
左壁と右壁の前部かつ上部間に、買物カゴの底の前部を載せることができるカゴ載せ部材が設けられ、
前記買物カゴの左右動を後上がり部により規制するようにしたことを特徴とするショッピングカート。
【請求項２】
バスケットの左右幅が、左右の前縦部の間隔以下である請求項１記載のショッピングカート。
【請求項３】
バスケットの左右幅は、前部よりも後部で小さくなっている請求項２記載のショッピングカート。
【請求項４】
バスケットの左壁と右壁の後部上端に、買物カゴの底の後部を載せることができる請求項３記載のショッピングカート。
【請求項５】
前あおり壁は、上端の蝶番部から吊下し、その吊下した状態から蝶番部を中心にして後方には傾動可能かつ前方には傾動不能になっていて、カート前方にある別のカートのバスケット後部の当接によりあおられて後方へ傾動するものである請求項１〜４のいずれか一項に記載のショッピングカート。
【請求項６】
前あおり壁の前面に、店名表示部を設けた請求項５記載のショッピングカート。
【請求項７】
キャスター付きのベースに立設された左右の支柱はそれぞれ、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含み、
前縦部から後方へ向かって延びるバスケットが設けられ、バスケット底部は前側が低くなるように傾斜しており、バスケット周壁は前あおり壁と左壁と右壁と後壁とからなり、
左壁と右壁の前部かつ上部間に、買物カゴの底の前部を載せることができるカゴ載せ部材が設けられ、
前記買物カゴの左右動を後上がり部により規制するようにし、
ベースに置いた別の買物カゴの左右動を前上がり部により規制するようにしたことを特徴とするショッピングカート。
【請求項８】
キャスター付きのベースに立設された左右の支柱はそれぞれ、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含み、
ベースに飲料包装箱を２箱又は３箱重ね積みしたときの、最下の飲料包装箱の前方動を規制する下側規制部材がベースに設けられ、残りの飲料包装箱の前方動を規制する上側規制部材が前縦部又は前上がり部の前部の下方に設けられたことを特徴とするショッピングカート。
【請求項９】
上側規制部材は、金属線材が凸字状に曲げられたものである請求項８記載のショッピングカート。
【発明の詳細な説明】
【技術分野】
【０００１】
本発明は、スーパーマーケット等で買い物をする際に使用するショッピングカートに関する。
【背景技術】
【０００２】
現在使用されているショッピングカートの多くは、特許文献１のように、キャスター付きのベースと、ベースに立設されて概ねカート後部を縦に延びる左右の支柱と、支柱の中間部から前方へ向かって延びるバスケットとを備えたものである。バスケットの底部は後側が低くなるように傾斜しており、バスケットの周壁は前壁と左壁と右壁と後あおり壁とからなる。そして、上段であるバスケットの底部に買物カゴを置き、下段であるベースの上にも買物カゴを置くことができるようになっている。
【０００３】
このバスケットは、現在使用されている種々の寸法の買物カゴのうち最大寸法の買物カゴ（当業界で「３３リットルカゴ」と通称されているものが該当する。）が底部に載り、該買物カゴの左右動を周壁により規制するように、最大寸法の買物カゴよりも大きく形成されている。そして、このバスケットの左右幅よりも左右の支柱の間隔を大きくとっているため、ショッピングカートの左右幅が大きかった（例えば５００ｍｍ以上）。
【先行技術文献】
【特許文献】
【０００４】
【特許文献１】特開２００８−１２０１９１号公報
【発明の概要】
【発明が解決しようとする課題】
【０００５】
そこで、よりコンパクトなショッピングカートを提供するために、本出願人は先に、左右の支柱を、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含むものとし、上段の買物カゴの左右動を後上がり部により規制し、下段の買物カゴの左右動を前上がり部により規制するようにしたショッピングカートを開発した。
【０００６】
このように、買物カゴの左右動を後上がり部と前上がり部により規制するので、左右の支柱の間隔を従来よりも小さくすることができ、もってショッピングカートの左右幅を従来よりも小さくすることができた（例えば４００ｍｍ以下）。
【０００７】
しかし、このように左右の支柱の間隔を小さくすると、上述のように最大寸法の買物カゴが底部に載るような大きいバスケットを設けることが困難であったため、バスケットを備えていなかった。このため、レジ精算後における買物カゴを置かない状態のショッピングカートに、買物袋を置く所が無いという問題があった。
【課題を解決するための手段】
【０００８】
そこで、本出願人は、最大寸法の買物カゴが底部に載るような大きいバスケットを設けるという従来の発想から離れ、間隔を小さくした左右の支柱に、最大寸法の買物カゴが底部から浮くような小さいバスケットを設けることにより、レジ精算後における買物カゴを置かない状態のショッピングカートに、買物袋を置く所を創設することを発案し、次の手段を採用した。
【０００９】
（１）キャスター付きのベースに立設された左右の支柱はそれぞれ、カート前部を縦に延びる前縦部と、前縦部の上端からカート後部へ向かって斜め上方に延びる後上がり部とを含み、
前縦部から後方へ向かって延びるバスケットが設けられ、バスケット底部は前側が低くなるように傾斜しており、バスケット周壁は前あおり壁と左壁と右壁と後壁とからなり、
左壁と右壁の前部かつ上部間に、買物カゴの底の前部を載せることができるカゴ載せ部材が設けられ、
前記買物カゴの左右動を後上がり部により規制するようにしたことを特徴とするショッピングカート。
【００１０】
ここで、バスケットの左右幅が、左右の前縦部の間隔以下であることが好ましい。
【００１１】
さらに、バスケットの左右幅は、前部よりも後部で小さくなっていることが好ましい。
【００１２】
そして、バスケットの左壁と右壁の後部上端に、買物カゴの底の後部を載せることができる。
【００１３】
前あおり壁は、上端の蝶番部から吊下し、その吊下した状態から蝶番部を中心にして後方には傾動可能かつ前方には傾動不能になっていて、カート前方にある別のカートのバスケット後部の当接によりあおられて後方へ傾動するものを例示できる。
【００１４】
前あおり壁の前面に、店名表示部を設けることができる。
【００１５】
（２）キャスター付きのベースに立設された左右の支柱はそれぞれ、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含み、
前縦部から後方へ向かって延びるバスケットが設けられ、バスケット底部は前側が低くなるように傾斜しており、バスケット周壁は前あおり壁と左壁と右壁と後壁とからなり、
左壁と右壁の前部かつ上部間に、買物カゴの底の前部を載せることができるカゴ載せ部材が設けられ、
前記買物カゴの左右動を後上がり部により規制するようにし、
ベースに置いた別の買物カゴの左右動を前上がり部により規制するようにしたことを特徴とするショッピングカート。
【００１６】
（３）キャスター付きのベースに立設された左右の支柱はそれぞれ、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含み、
ベースに飲料包装箱を２箱又は３箱重ね積みしたときの、最下の飲料包装箱の前方動を規制する下側規制部材がベースに設けられ、残りの飲料包装箱の前方動を規制する上側規制部材が前縦部又は前上がり部の前部の下方に設けられたことを特徴とするショッピングカート。
【００１７】
ここで、上側規制線材として、金属線材が凸字状に曲げられたものを例示できる。
【発明の効果】
【００１８】
本発明によれば、買物カゴの左右動を後上がり部により規制するので、左右の支柱の間隔を小さくしてショッピングカートの左右幅を小さくすることができ、また、買物カゴの底の前部をカゴ載せ部材に載せることにより、買物カゴの底部とバスケットの底との間に携帯品等を置くことができ、レジ精算後の買物袋をバスケットに置くこともできる。
【図面の簡単な説明】
【００１９】
【図１】実施例のショッピングカートを斜め前からみた斜視図である。
【図２】同ショッピングカートを斜め後からみた斜視図である。
【図３】同ショッピングカートの平面図である。
【図４】同ショッピングカートの（ａ）は側面図。（ｂ）は端面図である。
【発明を実施するための形態】
【００２０】
キャスター付きのベースに立設された左右の支柱はそれぞれ、カート後部を縦に延びる後縦部と、後縦部の上端からカート前部へ向かって斜め上方に延びる前上がり部と、前上がり部の上端からカート前部を縦に延びる前縦部と、前縦部の上端からカート後部へ向かって斜め上方に延びる後上がり部とを含み、
前縦部から後方へ向かって延びるバスケットが設けられ、バスケット底部は前側が低くなるように傾斜しており、バスケット周壁は前あおり壁と左壁と右壁と後壁とからなり、
左壁と右壁の前部かつ上部間に、買物カゴの底の前部を載せることができるカゴ載せ部材が設けられ、
前記買物カゴの左右動を後上がり部により規制するようにし、
ベースに置いた別の買物カゴの左右動を前上がり部により規制するようにしたことを特徴とするショッピングカート。
【実施例】
【００２１】
図１〜図４に示す本実施例のショッピングカート１は、キャスター２付きのベース３と、ベース３に立設された左右の支柱４と、支柱４に取り付けられたバスケット５と、買物カゴ３０の底の前部を載せることができるカゴ載せ部材６とを備えている。
【００２２】
ベース３には、前下がりの下段カゴ置き７が設けられ、下段カゴ置き７の前端には買物カゴ３０又は後述する飲料包装箱の下側規制部材８が設けられている。
【００２３】
左右の支柱４はそれぞれ、カート後部を縦に延びる後縦部９と、後縦部９の上端からカート前部へ向かって斜め上方に延びる前上がり部１０と、前上がり部１０の上端からカート前部を縦に延びる前縦部１１と、前縦部１１の上端からカート後部へ向かって斜め上方に延びる後上がり部１２とを含んでいる。後上がり部１２の後部には、後述する買物カゴ３０の後方動を規制する規制線材１３が設けられ、後上がり部１２の後端にはハンドル１４が設けられている。
【００２４】
前縦部１１の内側であって上端部と下端部には、正面視略四角ループ状の金属線材が溶接され、その上部は後述する前あおり壁１７の支持部材１５となっており、その下部は後述する飲料包装箱の上側規制部材１６となっている。
【００２５】
バスケット５は、前縦部１１から後方へ向かって延び、バスケット底部は前側が低くなるように傾斜しており、バスケット５周壁は前あおり壁１７と左壁１８と右壁１９と後壁２０とからなる。
【００２６】
前あおり壁１７は、樹脂又は金属で形成されており、前あおり壁１７の上端に形成されたフック部が支持部材１５に回転可能に係合して蝶番部２１を形成している。フック部が樹脂で形成されていると、買物カゴ３０がこの上を摺ってレジに移されるときに、買物カゴ３０の底の摩耗や傷付きを防止することができる。前あおり壁１７は、この蝶番部２１から吊下し、その吊下した状態から蝶番部２１を中心にして後方には傾動可能かつ前方には傾動不能（バスケット前端の規制バー２３に当接する）になっていて、ネスティング時にカート前方にある別のカートのバスケット５後部の当接によりあおられて後方へ傾動し、同バスケット５の侵入を許容する。前あおり壁１７の前面には、店名表示部２２が設けられている。
【００２７】
バスケット５の左右幅は左右の前縦部１１の間隔以下であり、さらに、バスケット５の左右幅は前部よりも後部で小さくなっている。そして、バスケット５の左壁１８と右壁１９の後部上端に、現在使用されている種々の寸法の買物カゴ３０のうち最大寸法の買物カゴ３０（当業界で「３３リットルカゴ」と通称されているものが該当する。）の底の後部を載せることができる。
【００２８】
前あおり壁１７の後側であって左壁１８と右壁１９の前部かつ上部間には、買物カゴ３０の底の前部を載せることができるカゴ載せ部材６が設けられている。
【００２９】
カゴ載せ部材６とバスケット５の後部上端に載った（上段の）買物カゴ３０の左右動は、後上がり部１２により規制する。また、ベース３の下段カゴ置き７に置いた（下段の）買物カゴ３０の左右動は、前上がり部１０により規制する。このように、買物カゴ３０の左右動を後上がり部１２と前上がり部１０により規制するので、左右の支柱４の間隔を従来よりも小さくすることができ、もってショッピングカート１の左右幅を従来よりも小さくすることができた（例えば４００ｍｍ以下）。
【００３０】
なお、（上段の）買物カゴ３０は、図４の状態から、後部がバスケット５の後部に少し入り込むようにして傾けたり、前部がカゴ載せ部材６から後ろに外れてバスケット５の前部に少し入り込むようにして傾けたりすることもできる。
【００３１】
図４に示すように、ベース３のカゴ載せ部材６に、買物カゴではなく、飲料包装箱３１（３５０ｍｌ缶が２４本入ったダンボール箱）を２箱又は３箱重ね積みしたとき、最下の飲料包装箱３１の前方動を下側規制部材８により規制し、残りの飲料包装箱３１の前方動を上側規制部材１６が規制するので、転落が防止される。
【００３２】
本実施例によれば、買物カゴ３０の左右動を後上がり部により規制するので、左右の支柱４の間隔を小さくしてショッピングカート１の左右幅を小さくすることができ、また、買物カゴ３０の底の前部をカゴ載せ部材６に載せることにより、買物カゴ３０の底部とバスケット５の底との間に携帯品等を置くことができ、レジ精算後の買物袋をバスケット５に置くこともできる。
【００３３】
なお、本発明は前記実施例の構成に限定されるものではなく、発明の趣旨から逸脱しない範囲で、適宜変更して具体化することもできる。
【符号の説明】
【００３４】
１    ショッピングカート
２    キャスター
３    ベース
４    支柱
５    バスケット
６    カゴ載せ部材
８    下側規制部材
９    後縦部
１０    前上がり部
１１    前縦部
１２    後上がり部部
１３    規制線材
１４    ハンドル
１５    支持部材
１６    上側規制部材
１７    前あおり壁
１８    左壁
１９    右壁
２０    後壁
２１    蝶番部
２２    店名表示部
２３    規制バー
３０    買物カゴ
３１    飲料包装箱
【図１】
2016165955.tif 000003
【図２】
2016165955.tif 000004
【図３】
2016165955.tif 000005
【図４】
2016165955.tif 000006